(57)【要約】  現在の開示のある態様は、アクセス・ポイント（ＡＰ）を用いた無線ネットワークにおける多重ピア・ツー・ピア通信をスケジュールすることに関する技術に関連している。ＡＰベースド通信に関する現存のパワー・マネージメント・フレームワークは、ピア・ツー・ピア通信のＡＰベースド・スケジューリングをアチーブするために利用される。
2013509827.tif 000002
【特許請求の範囲】
【請求項１】
無線通信のための方法であって、
装置間の多重通信のためのスケジュールを決定することであって、前記スケジュールが送信する第１の装置のための時間と受信する第２の装置のための同じ前記時間を示す、決定することと、
前記第１の装置と前記第２の装置に対する前記スケジュールを送信することと
を備える、方法。
【請求項２】
前記スケジュールが、制御メッセージにおいて前記第１の装置と前記第２の装置に送信される、請求項１の方法。
【請求項３】
前記制御メッセージは、前記第１の装置と前記第２の装置がダイレクト・リンク・セットアップ（ＤＬＳ）接続を用いて通信するべきであることを示す前記第１の装置と前記第２の装置のためのタイプ・フィールドを備える、請求項２の方法。
【請求項４】
前記制御メッセージは前記通信のうちの１つに関して使用される無線チャンネルを示すビットのシーケンスを備える、請求項２の方法。
【請求項５】
前記装置のサブセットに対してバックオフ・カウントとともにメッセージを送信することと、
装置の前記サブセットから、前記メッセージに対する１つ又はそれ以上の応答を受信することであって、各応答は前記サブセットから前記装置のうちの１つに関連する通信バッファのレベルに関する情報を備える、受信することと、
前記１つ又はそれ以上の応答に基づいて前記通信のための前記装置から要求をスケジューリングすることと
をさらに備える、請求項１の方法。
【請求項６】
通信のトラフィックの仕様（ＴＳＰＥＣ）に基づいて各通信に関するスケジュールを決定することをさらに備える、請求項１の方法。
【請求項７】
バックログ情報を決定するために前記通信を聞くことと、
前記バックログ情報に基づいて前記装置間の別の通信をスケジューリングすることと
をさらに備える、請求項１の方法。
【請求項８】
前記多重通信は、前記装置間のペアの間で確立された多重データ・リンク・セットアップ（ＤＬＳ）通信を備える、請求項１の方法。
【請求項９】
無線通信のための装置であって、
装置間の多重通信のためのスケジュールを決定するように構成される回路であって、前記スケジュールが送信する第１の装置のための時間と受信する第２の装置のための同じ前記時間を示す、回路と、
前記スケジュールを前記第１の装置と前記第２の装置に前記スケジュールを送信するように構成される送信機と
を備える、装置。
【請求項１０】
前記スケジュールが、制御メッセージにおいて前記第１の装置と前記第２の装置に対して送信される、請求項９の装置。
【請求項１１】
前記制御メッセージは、前記第１の装置と前記第２の装置はダイレクト・リンク・セットアップ（ＤＬＳ）接続を用いて通信するべきであること示す、前記第１の装置と前記第２の装置のためのタイプ・フィールドを備える、請求項１０の装置。
【請求項１２】
前記制御メッセージは、前記通信のうちの１つに関して用いられる無線チャンネルを示すビットのシーケンスを備える、請求項１０の装置。
【請求項１３】
前記送信機は、また、前記装置のサブセットにバックオフ・カウントとともにメッセージを送信するように構成され、前記装置は、
装置の前記サブセットから前記メッセージに対する１つ又はそれ以上の応答を受信するように構成される受信機であって、各応答は、前記サブセットからの前記装置のうちの１つに関連した通信バッファのレベルに関する情報を備える、受信機と、
前記１つ又はそれ以上の応答に基づく前記通信のための前記装置から要求をスケジューリングするように構成されるスケジューラと
をさらに備える、請求項９の装置。
【請求項１４】
前記通信のトラフィックの仕様（ＴＳＰＥＣ）に基づく各々の前記通信に関するスケジュールを決定するために構成されるスケジューラをさらに備える、請求項９の装置。
【請求項１５】
バックログ情報を決定するために前記通信を聞くように構成される受信機と、
前記バックログ情報に基づいた前記装置間の他の通信をスケジュールするように構成されるスケジューラと
をさらに備える、請求項９の装置。
【請求項１６】
前記多重通信は、前記装置のペアの間で確立された多重データ・リンク・セットアップ（ＤＬＳ）通信を備える、請求項９の装置。
【請求項１７】
無線通信のための装置であって、
装置間の多重通信のためのスケジュールを決定するための手段であって、前記スケジュールが送信する第１の装置のための時間と受信する第２の装置のための同じ時間を示す、決定するための手段と、
前記スケジュールを第１の装置と第２の装置に前記スケジュールを送信するための手段と
を備える、装置。
【請求項１８】
前記スケジュールは、制御メッセージにおいて、前記第１の装置と前記第２の装置に対して送信される、請求項１７の装置。
【請求項１９】
前記制御メッセージは、前記第１の装置と前記第２の装置がダイレクト・リンク・セットアップ（ＤＬＳ）接続を用いて通信するべきだということを示す、前記第１の装置と前記第２の装置のためのタイプ・フィールドを備える、請求項１８の装置。
【請求項２０】
前記制御メッセージは、前記通信のうちの１つに関して用いられる無線チャンネルを示すビットのシーケンスを備える、請求項１８の装置。
【請求項２１】
送信するための前記手段は、さらに、バックオフ・カウントとともにメッセージを前記装置のサブセットへ送信するように構成され、前記装置は、
装置の前記サブセットから前記メッセージへの１つ又はそれ以上の応答を受信するための手段であって、それぞれの応答が前記サブセットから前記装置のうちの１つに関連した通信バッファのレベルに関する情報を備える、受信するための手段と、
前記装置から、１つ又はそれ以上の応答に基づいた前記通信に関して要求をスケジュールするための手段と
をさらに備える、請求項１７の装置。
【請求項２２】
前記通信のトラフィックの仕様（ＴＳＰＥＣ）に基づいた前記通信の各々に関するスケジュールを決定するための手段をさらに備える、請求項１７の装置。
【請求項２３】
バックログ情報を決定するための前記通信を聞くための手段と、
前記バックログ情報に基づいた前記装置間の他の通信をスケジュールするための手段と
をさらに備える、請求項１７の装置。
【請求項２４】
前記多重通信は、前記装置のペアの間で確立された多重データ・リンク・セットアップ（ＤＬＳ）通信を備える、請求項１７の装置。
【請求項２５】
無線通信のためのコンピュータ・プログラム製品であって、
装置間の多重通信のためのスケジュールを決定することであって、前記スケジュールが送信する第１の装置のための時間と受信する第２の装置のための同じ時間とを示す、決定することと、
前記第１の装置と前記第２の装置に対して前記スケジュールを送信することと
を実行できる命令を備えるコンピュータ可読媒体を備える、コンピュータ・プログラム製品。
【請求項２６】
少なくとも１つのアンテナと、
無線ノード間の多重通信のためのスケジュールを決定するように構成される回路であって、前記スケジュールが送信する第１無線ノードのための時間と受信する第２無線ノードのための同じ時間とを示す、回路と、
前記の少なくとも１つのアンテナを経由して前記スケジュールを前記第１無線ノードと前記第２無線ノードに対して送信するように構成された送信機と
を備える、アクセス・ポイント。
【請求項２７】
無線通信のための方法であって、
第１の装置において、通信のための時間を示す制御メッセージを受信することと、
通信に関して前記同じ時間を割り当てられた第２の装置を識別することと、
前記時間中に前記第２の装置と通信することと
を備える、方法。
【請求項２８】
前記制御メッセージは、前記第１の装置と前記第２の装置がダイレクト・リンク・セットアップ（ＤＬＳ）接続を用いて通信するべきであることを示す、前記第１の装置と前記第２の装置のためのタイプ・フィールドを備える、請求項２７の方法。
【請求項２９】
前記制御メッセージは、前記通信に関して用いられる無線チャンネルを示すビットのシーケンスを備える、請求項２７の方法。
【請求項３０】
前記制御メッセージはパワー・マネージメント・メッセージを備える、請求項２７の方法。
【請求項３１】
前記パワー・マネージメント・メッセージは、前記ＩＥＥＥ  ８０２．１１ｎのパワー・セーブ・マルチ・ポール（ＰＳＭＰ）メッセージを備える、請求項３０の方法。
【請求項３２】
前記第２の装置を識別することは、
前記第１の装置に関連するフィールドを見つけるために前記パワー・マネージメント・メッセージをスキャンすることと、
前記第１の装置からデータ送信の時間を示す前記フィールドにおける第１の値と前記第２の装置でデータ受信に関する開始時間を示す別のフィールドとをマッチさせることと、前記第１の装置からデータ送信に関する時間の期間を示す前記フィールドにおける第２の値と前記第２の装置でデータ受信に関する時間の期間を示す前記第２の装置と関連したもう一方のフィールドにおける第２の値とをマッチさせるように前記パワー・マネージメント・メッセージをスキャンすることと
を備える、請求項３０の方法。
【請求項３３】
前記第１の装置によって用いられる無線チャンネルを示す前記フィールドにおけるビットのシーケンスと、前記第２の装置によって用いられる無線チャンネルを示すもう一方のフィールドにおけるビットの別のシーケンスとをマッチさせるように前記パワー・マネージメント・メッセージをスキャンすること
をさらに備える、請求項３２の方法。
【請求項３４】
前記制御メッセージに定義された任意の時間中にスリープ・モードにおいて動作することをさらに備える、請求項２７の方法。
【請求項３５】
前記制御メッセージに基づいて確立されたダイレクト・リンク・セットアップ（ＤＬＳ）接続を用いて通信することに干渉しない送信に関して、前記制御メッセージに示されていない無線チャンネルにアクセスすることをさらに備える、請求項２７の方法。
【請求項３６】
前記アクセスすることは、前記無線チャンネルにおいて競合することを備える、請求項３５の方法。
【請求項３７】
無線通信のための装置であって、
通信のための時間を示す制御メッセージを受信するように構成される受信機と、
通信に関する前記同じ時間を割り当てられた別の装置を識別するように構成される回路と、
前記時間中にもう一方の装置と通信するように構成されるトランシーバと
を備える、装置。
【請求項３８】
前記制御メッセージは、前記装置と前記別の装置がダイレクト・リンク・セットアップ（ＤＬＳ）接続を用いて通信すべきであることを示す前記装置と前記別の装置のためのタイプ・フィールドを備える、請求項３７の装置。
【請求項３９】
前記制御メッセージは、前記通信に関して用いられる無線チャンネルを示すビットのシーケンスを備える、請求項３７の装置。
【請求項４０】
前記制御メッセージは、パワー・マネージメント・メッセージを備える、請求項３７の装置。
【請求項４１】
前記パワー・マネージメント・メッセージは前記ＩＥＥＥ  ８０２．１１ｎのパワー・セーブ・マルチ・ポール（ＰＳＭＰ）メッセージを備える、請求項４０の装置。
【請求項４２】
もう一方の装置を識別するように構成される前記回路は、
前記装置と関連したフィールドを見つけるように前記パワー・マネージメント・メッセージをスキャンするように構成される走査回路を備え、
前記走査回路は、前記装置からデータ送信の時間を示す前記フィールドにおける第１の値ともう一方の装置でのデータ受信に関する開始時間を示す別のフィールドにおける第１の値とをマッチさせるように、そして前記装置からデータ送信に関する時間の期間を示す前記フィールドにおける第２の値ともう一方の装置でのデータ受信に関する時間の期間を示すもう一方の装置に関連したもう一方のフィールドにおける第２の値とをマッチさせるように、前記パワー・マネージメント・メッセージをスキャンするようにも構成される、請求項４０の装置。
【請求項４３】
前記走査回路は、さらに、
前記装置によって用いられる無線チャンネルを示す前記フィールドにおけるビットのシーケンスともう一方の装置によって用いられる無線チャンネルを示すもう一方のフィールドにおけるビットの別のシーケンスとをマッチさせるように前記パワー・マネージメント・メッセージをスキャンするように構成される、請求項４２の装置。
【請求項４４】
前記制御メッセージにおいて定義された任意の時間中にスリープ・モードで動作するように構成された低電力回路をさらに備える、請求項３７の装置。
【請求項４５】
前記送信機は、また、前記制御メッセージに基づいて確立されたダイレクト・リンク・セットアップ（ＤＬＳ）接続を用いて通信することに干渉しない送信に関する無線チャンネルにアクセスするように構成され、前記無線チャンネルは前記パワー・セーブ、マルチ・ポール制御メッセージにおいて示されない、請求項３７の装置。
【請求項４６】
前記送信機は、また、前記無線チャンネルにおいて競合するように構成される、請求項４５の装置。
【請求項４７】
通信に関する時間を示す制御メッセージを受信するための手段と、
通信に関する前記同じ時間を割り当てられた別の装置を識別するための手段と、
前記時間中にもう一方の装置と通信するための手段と
を備える、無線通信のための装置。
【請求項４８】
前記制御メッセージは、前記装置と前記別の装置がダイレクト・リンク・セットアップ（ＤＬＳ）接続を用いて通信するべきであることを示す、前記装置と前記別の装置のためのタイプ・フィールドを備える、請求項４７の装置。
【請求項４９】
前記制御メッセージは、前記通信に関して用いられる無線チャンネルを示すビットのシーケンスを備える、請求項４７の装置。
【請求項５０】
前記制御メッセージはパワー・マネージメント・メッセージを備える、請求項４７の装置。
【請求項５１】
前記パワー・マネージメント・メッセージは、前記ＩＥＥＥ  ８０２．１１ｎのパワー・セーブ・マルチ・ポール（ＰＳＭＰ）メッセージを備える、請求項５０の装置。
【請求項５２】
前記別の装置を識別するための前記の手段は、
前記装置と関連したフィールドを見つけるように前記パワー・マネージメント・メッセージをスキャンするための手段と、
前記装置からデータ送信の時間を示す前記フィールドにおける第１の値と前記別の装置でデータ受信に関する開始時間を示す別のフィールドにおける第１の値とをマッチさせ、前記装置からデータ送信に関する時間の期間を示す前記フィールドにおける第２の値ともう一方の装置でデータ受信に関する時間の期間を示す、前記別の装置と関連した前記別のフィールドにおける第２の値とをマッチさせるように、前記パワー・マネージメント・メッセージをスキャンするための手段と
を備える、請求項５０の装置。
【請求項５３】
前記装置によって用いられた無線チャンネルを示す前記フィールドにおけるビットのシーケンスと、もう一方の装置によって用いられた無線チャンネルを示すもう一方のフィールドにおけるビットの別のシーケンスとをマッチさせるように前記パワー・マネージメント・メッセージをスキャンするための手段をさらに備える、請求項５２の装置。
【請求項５４】
前記制御メッセージで定義された任意の時間中にスリープ・モードで動作するための手段をさらに備える、請求項４７の装置。
【請求項５５】
前記制御メッセージに基づいて確立されたダイレクト・リンク・セットアップ（ＤＬＳ）接続を用いて通信することに干渉しない送信に関する、前記制御メッセージに示されていない無線チャンネルにアクセスするための手段をさらに備える、請求項４７の装置。
【請求項５６】
アクセスするための前記手段は前記無線チャンネルにおいて競合するための手段を備える、請求項５５の装置。
【請求項５７】
無線通信のためのコンピュータ・プログラム製品であって、
第１の装置で、通信に関する時間を示す制御メッセージを受信し、
通信に関する前記同じ時間を割り当てられた第２の装置を識別し、
前記時間中に前記第２の装置と通信する
ように実行できる命令を備えるコンピュータ可読媒体を備える、コンピュータ・プログラム製品。
【請求項５８】
少なくとも１つのアンテナと、
通信に関する時間を示す制御メッセージを、前記少なくとも１つのアンテナを経由して受信するように構成された受信機と、
通信に関する前記同じ時間を割り当てられた別の無線ノードを識別するように構成された回路と、
前記時間中にもう一方の無線ノードと、前記少なくとも１つのアンテナを経由して通信するように構成された送信機と
を備える、無線ノード。
【発明の詳細な説明】
【優先権の主張】
【０００１】
（３５Ｕ．Ｓ．Ｃ第１１９条の下での優先権の主張）
この特許出願は、２００９年１０月２９日に出願され、これについて譲渡人に譲渡され、この中に参照によって明確に組み入れられた仮特許出願第６１／２５５，９９３号の優先権を主張する。  
【技術分野】
【０００２】
現在の開示のある態様は、一般的に、無線通信に、より詳細には、ピア・ツー・ピア通信のスケジューリングに関連する。
【背景技術】
【０００３】
１つのアクセス・ポイント（ａｃｃｅｓｓ  ｐｏｉｎｔ：ＡＰ）に関連した、２つのユーザ・ステーション（ＳＴＡ）（たとえば、ＳＴＡ１とＳＴＡ２の）の間でデータを伝送させるために、一般的に２つのアプローチが利用可能である。１つのアプローチでは、ＳＴＡ１はＡＰにデータを送信することができ、そしてＡＰがＳＴＡ２にデータを転送することができる。もう１つのアプローチでは、ＳＴＡ１は、ＳＴＡ２と、ダイレクト・リンク・セットアップ（Ｄｉｒｅｃｔ  Ｌｉｎｋ  Ｓｅｔｕｐ：ＤＬＳ）接続をセット・アップする。ＤＬＳに関するメッセージは、ＡＰを通して転送される。いったんＤＬＳ接続がセット・アップされると、ＳＴＡ１は直接的にＳＴＡ２にデータ・パケットを送信することができる。
【０００４】
現在、ＤＬＳを用いて運ばれるフレームは、コンテンション・プロトコルに基づいたキャリア感知多重アクセス（Ｃａｒｒｉｅｒ  Ｓｅｎｓｅ  Ｍｕｌｔｉｐｌｅ  Ａｃｃeｓｓ：ＣＳＭＡ）を用いて送信されている。しかしながら、いくつかのＤＬＳ接続があるシナリオでは、多重のＤＬＳストリームに関するスループットを減らすことのできるかなりの衝突が起こり得る。
【発明の概要】
【０００５】
ある態様は、無線通信に関する方法を提供する。前記の方法は、前記のスケジュールが送信する第１の装置のための時間を示し、受信する第２の装置のための同じ時間を示す、装置間の多重通信に関するスケジュールを決めることと、第１の装置と第２の装置にスケジュールを送信することを含んでいる。
【０００６】
ある態様は、無線通信に関する装置を提供する。前記装置は一般的に、スケジュールが送信する第１の装置のための時間を示し、受信する第２の装置のための同じ時間を示すような、装置間の多重通信に関するスケジュールを決めるように構成される回路と、第１の装置と第２の装置にスケジュールを送信するように構成される送信機と、を含む。
【０００７】
ある態様は、無線通信に関する装置を提供する。前記装置は一般的に、スケジュールは、送信する第１の装置のための時間と受信する第２の装置のための同じ時間を示す、装置間の多重通信に関するスケジュールを決めるための手段と、第１の装置と第２の装置に対してスケジュールを送信するための手段と、を含んでいる。
【０００８】
ある態様は、無線通信に関するコンピュータ・プログラム製品を提供する。前記のコンピュータ・プログラム製品は、スケジュールが送信する第１の装置のための時間と受信する第２の装置のための同じ時間を示す、装置間の多重通信に関するスケジュールを決定することと、スケジュールを第１の装置と第２の装置に送信することを実行できる命令からなるコンピュータ可読媒体を含んでいる。
【０００９】
ある態様は、アクセス・ポイントを提供する。前記のアクセス・ポイントは一般的に、少なくとも１つのアンテナと、スケジュールが送信する第１の無線ノードのための時間を示し、受信する第２の無線ノードのための同じ時間を示す、無線ノード間の多重通信に関するスケジュールを決めるために構成された回路と、第１と第２の無線ノードに対して少なくとも１つのアンテナを経由してスケジュールを送信するように構成される送信機と、を含んでいる。
【００１０】
ある態様は、無線通信に関する方法を提供する。前記の方法は一般的に、第１の装置で通信に関する時間を示す制御メッセージを受信することと、通信に関する同じ時間を割り当てられた第２の装置を識別することと、前記時間中に第２の装置と通信すること、を含んでいる。
【００１１】
ある態様は、無線通信に関する装置を提供する。前記装置は一般的に、通信に関する時間を示す制御メッセージを受信するように構成される受信機と、通信に関する同じ時間を割り当てられたもう１方の装置を定義するために構成される回路と、前記時間中にもう１方の装置と通信するために構成されるトランシーバを含んでいる。
【００１２】
ある態様は、無線通信に関する装置を提供する。前記装置は一般的に、通信に関する時間を示す制御メッセージを受信するための手段と、通信に関する同じ時間を割り当てられた他の装置と識別するための手段と、前記期間中にもう１方の装置と通信するための手段を含んでいる。
【００１３】
ある態様は、無線通信に関するコンピュータ・プログラム製品を提供する。前記のコンピュータ・プログラム製品は、通信に関する時間を示す制御メッセージを第１の装置において受信することと、通信に関する同じ時間を割り当てられた第２の装置を識別することと、前記時間中に第２の装置と通信すること、を含んでいる。
【００１４】
ある態様は、無線ノードを提供する。無線ノードは一般的に、少なくとも１つのアンテナと、少なくとも１つのアンテナを経由して通信に関する時間を示す制御メッセージを受信するように構成される受信機と、通信に関する同じ時間を割り当てられる他の無線ノードを識別するように構成される回路と、同じ時間中に、少なくとも１つのアンテナを経由して、もう１方の無線ノードと通信するように構成されるトランシーバを含んでいる。
【図面の簡単な説明】
【００１５】
故に、現在の開示の上に列挙した特性が詳細に理解できるという方法、上に簡単に要約されたより特定の記述、は態様に対し参照され、それらのうちのいくつかは、添付された図面に説明されている。しかしながら、添付された図面がこの開示のただある典型的な態様だけを説明し、それゆえにその範囲を限定すると考えられるべきではなく、それゆえ記述は他の同等な効果的な態様を許しても良い、ということに、注意されるべきである。
【図１】図１は、現在の開示のある態様に従って、例の無線通信システムを示す。
【図２】図２は、現在の開示のある態様に従って、２つのノードに通信することを可能にする、システムを示す。
【図３】図３は、現在の開示のある態様に従って、通信デバイスの例を示す。
【図４】図４は、現在の開示のある態様に従って、ピア・ツー・ピア（Ｐ２Ｐ）通信のスケジューリングに関して用いられるパワー・セーブ・マルチ・ポール（ＰＳＭＰ）フレーム内の例の情報フィールドを示す。
【図５】図５は、現在の開示のある態様に従って、ピア・ツー・ピア（Ｐ２Ｐ）通信のスケジューリングに関するアクセス・ポイントで実行される例の動作を示す。
【図５Ａ】図５Ａは、図５で説明された動作を実行できる例のコンポーネントを示す。
【図６】図６は、現在の開示のある態様に従って、ピア・ノードとともにＰ２Ｐ通信を確立するための、無線ノードで実行される例の動作を示す。
【図６Ａ】図６Ａは、図６に説明される動作を実行できる例のコンポーネントを示す。
【詳細な説明】
【００１６】
開示の様々な態様が、付随する図面を参照して、ここから後で、より完全に記述される。しかしながら、この開示は、多くの異なる形態で具体化され得るし、この開示を通して表される任意の特定の構造または機能に限定されるように解釈されるべきではない。むしろ、これらの態様は、この開示が、完全で完璧で、当業者に対して開示の範囲を十分に伝えるように提供される。ここでの教示に基づいて、１人の当業者が、開示の任意の他の態様と独立してインプリメントされようが、それらとともに結合されようが、開示の範囲がここで開示された開示のどの態様をカバーするように意図されていることを十分理解するべきである。たとえば、ここで公にした任意の多くの態様を用いて、装置がインプリメントされ得るし、方法は実行され得る。加えて、開示の範囲は、ここで公にした開示の様々な態様に加えて、またはそれより他に、他の構造、機能性、または構造と機能性を用いて実行される方法またはそのような装置をカバーするように意図されている。ここで開示された開示のどの態様も、１つかそれより多い請求項の構成要素で具体化されるということは、理解されておくべきである。
【００１７】
典型的（ｅｘｅｍｐｌａｒｙ）という言葉は、「例、実例、または事例として役立つ」という意味を表すためにここで用いている。「典型的（ｅｘｅｍｐｌａｒｙ）」のように、ここで記述された態様は、必ずしも他の態様にとって好ましいまたは有利なように解釈されない。
【００１８】
ここでは特別な態様が記述されているが、これらの態様の多くの種類と置換が、開示の範囲内に含まれる。好ましい態様のいくつかのメリットや利点が述べられているが、開示の範囲は、特定のメリット、使用、または目的に限るように意図されているわけではない。むしろ、開示の態様は、異なる無線技術、システム構成、ネットワーク、そして伝送プロトコルに対して概して適切になるように意図されており、それらのうちのいくつかは、望ましい態様の以下の記述と図に例として記述されている。詳細説明と図面は、限定というよりはむしろ、開示の単なる実例に過ぎなくて、開示の範囲は、添付された請求項と等価なものによって定義されている。
【００１９】
例の無線通信システム
ここで記述した技術は、様々なブロードバンド無線通信システムに関して使われ得、直交多重化スキームに基づいている通信システムを含んでいる。そのような通信システムの例は、直交周波数分割多重アクセス（Ｏｒｔｈｏｇｏｎａｌ  Ｆｒｅｕｅｎｃｙ  Ｄｉｖｉｓｉｏｎ  Ｍｕｌｔｉｐｌｅ  Ａｃｃｅｓｓ：ＯＦＤＭＡ）システム、シングル・キャリア周波数分割多重アクセス（Ｓｉｎｇｌｅ−Ｃａｒｒｉｅｒ  Ｆｒｅｕｅｎｃｙ  Ｄｉｖｉｓｉｏｎ  Ｍｕｌｔｉｐｌｅ  Ａｃｃｅｓｓ：ＳＣ−ＦＤＭＡ）システム、などを含んでいる。ＯＦＤＭＡシステムは直交周波数分割多重化（ｏｒｔｈｏｇｏｎａｌ  ｆｒｅｕｅｎｃｙ  ｄｉｖｉｓｉｏｎ  ｍｕｌｔｉｐｌｅｉｎｇ：ＯＦＤＭ）を利用しており、これは、全システム・バンド幅を多重直交サブ・キャリアに分割する。これらのサブ・キャリアは、トーン、ビンなどとも呼ばれ得る。ＯＦＤＭとともに、各サブ・キャリアは、独立してデータとともに変調され得る。ＳＣ−ＦＤＭＡシステムは、システム・バンド幅を横切って分布しているサブ・キャリアに対して送信するためにインターリーブされたＦＤＭＡ（ｉｎｔｅｒｌｅａｖｅｄ  ＦＤＭＡＩＦＤＭＡ）や、隣接するサブ・キャリアのブロックに対して送信するために局所化されたＦＤＭＡ（ｌｏｃａｌｉｚｅｄ  ＦＤＭＡ：ＬＦＤＭＡ）、または、隣接するサブ・キャリアの多重ブロックに対して送信するために協調されたＦＤＭＡ（ｅｎｈａｎｃｅｄ  ＦＤＭＡ：ＥＦＤＭＡ）を利用し得る。一般的に、変調シンボルは、ＯＦＤＭとともに周波数領域に、ＳＣ−ＦＤＭＡとともに時間領域に送られる。
【００２０】
直交多重化スキームに基づいた通信システムの１つの特別な例は、ＷｉＭＡＸシステムである。マイクロ波アクセスに関するワールドワイド・インターオペラビリティを表すＷｉＭＡＸは、長距離に渡って高スループットのブロードバンド接続を提供するスタンダード・ベースのブロードバンドの無線技術である。現在、２つの主なＷｉＭＡＸのアプリケーションがあり、それは固定ＷｉＭＡＸと移動ＷｉＭＡＸである。固定ＷｉＭＡＸアプリケーションはポイント・トゥー・マルチポイントであり、たとえば、ホームとビジネスのブロードバンドなアクセスを可能にする。移動ＷｉＭＡＸはブロードバンド速度で、セルラー・ネットワークの十分な機動性を提供する。
【００２１】
ＩＥＥＥ８０２．１６は、固定／移動のブロードバンド無線アクセス（ｂｒｏａｄｂａｎｄ  ｗｉｒｅｌｅｓｓ  ａｃｃｅｓｓ：ＢＷＡ）システムに関するエア・インターフェースを定義するような、新興の標準機構である。ＩＥＥＥ８０２．１６ｘは、固定ＢＷＡシステムに関して２００４年５月に「ＩＥＥＥ  Ｐ８０２．１６ｄ／Ｄ５−２００４」を承認し、移動ＢＷＡシステムに関して２００５年１０月に「ＩＥＥＥ  Ｐ８０２．１６ｅ／Ｄ１２  Ｏｃｔ．  ２００５」を公開した。草案の標準である、ＩＥＥＥ  ８０２．１６の最新版「ＩＥＥＥ  Ｐ８０２．１６Ｒｅｖ２／Ｄ９  Ｍａｒｃｈ  ２００９」は、現在、ＩＥＥＥ  ８０２．１６ｅからの資料と誤植を結合する。標準は、４つの異なる物理層（ＰＨＹ）と１つの媒体アクセス制御（ｍｅｄｉｕｍ  ａｃｃｅｓｓ  ｃｏｎｔｒｏｌ：ＭＡＣ）層とを定義する。４つの物理層のＯＦＤＭとＯＦＤＭＡの物理層は、それぞれ固定ＢＷＡと移動ＢＷＡでもっとも一般的である。
【００２２】
ここでの教示は、多種の有線または無線の装置（たとえば、ノード）に組み込まれ得る（たとえば、その内部でインプリメントされるまたはそれによりインプリメントされる）。いくつかの態様では、ここでの教示に従ってインプリメントされるノードは、アクセス・ポイントまたはアクセス端末を構成する。
【００２３】
アクセス・ポイント（「ＡＰ」）は、ノードＢ（ＮｏｄｅＢ）、ラジオ・ネットワーク・コントローラ（「ＲＮＣ（Ｒａｄｉｏ  Ｎｅｔｗｏｒｋ  Ｃｏｎｔｒｏｌｌｅｒ）」）、ｅＮｏｄｅＢ、基地局コントローラ（「ＢＳＣ（Ｂａｓｅ  Ｓｔａｔｉｏｎ  Ｃｏｎｔｒｏｌｌｅｒ）」）、ベース・トランシーバ・ステーション（「ＢＴＳ（Ｂａｓｅ  Ｔｒａｎｃｅｉｖｅｒ  Ｓｔａｔｉｏｎ」）、基地局（「ＢＳ（Ｂａｓｅ  Ｓｔａｔｉｏｎ）」）、トランシーバ機能（「ＴＦ（Ｔｒａｎｃｅｉｖｅｒ  Ｆｕｎｃｔｉｏｎ）」）、ラジオ・ルータ、ラジオ・トランシーバ、ベーシック・サービス・セット（「ＢＳＳ（Ｂａｓｅ  Ｓｅｒｖｉｃｅ  Ｓｅｔ）」）、拡張されたサービス・セット（「ＥＳＳ（Ｅｘｔｅｎｔｅｄ  Ｓｅｒｖｉｃｅ  Ｓｅｔ」）、ラジオ基地局（「ＲＢＳ（Ｒａｄｉｏ  Ｂａｓｅ  Ｓｔａｔｉｏｎ」）、または他の専門用語を含んでいる、またはそれらとしてインプリメントされている、またはそれらとして知られている。
【００２４】
アクセス端末（「ＡＴ」）は、アクセス端末、加入者ステーション、加入者ユニット、移動局、リモート・ステーション、ユーザ端末、ユーザ・エージェント、ユーザ・デバイス、ユーザ・イクイプメント、または他の専門用語を含んでいる、またはそれらとしてインプリメントされている、またはそれらとして知られている。いくつかのインプリメンテーションでは、アクセス端末は、携帯電話、コードレス電話、セッション・イニシエーション・プロトコル（「ＳＩＰ」）、無線ローカル・ループ（「ＷＬＬ（ｗｉｒｅｌｅｓｓ  ｌｏｃａｌ  ｌｏｏｐ）」）局、パーソナル・デジタル・アシスタント（「ＰＤＡ（ｐｅｒｓｏｎａｌ  ｄｉｇｉｔａｌ  ａｓｓｉｓｔａｎｔ）」）、無線接続キャパビリティを持つ手持ちのデバイス、または、いくつかの他の無線モデムに接続された処理デバイス、からなる。従って、ここで教えられた１つかそれ以上の態様は、電話（たとえば、携帯電話やスマート・フォン）、コンピュータ（たとえば、ラップトップ）、ポータブル通信デバイス、ポータブル・コンピューティング・デバイス（たとえば、パーソナル・デジタル・アシスタント）、エンターテインメント・デバイス（たとえば、音楽または映像デバイス、または衛星ラジオ）、グローバル・ポジショニング・システム・デバイス、ヘッドセット、センサまたは他の適した、無線または有線媒体を経由して通信するように構成されるデバイス、に組み込まれ得る。いくつかの態様では、ノードは無線ノードである。そのような無線ノードは、たとえば、有線または無線通信リンクを経由して、ネットワーク（たとえば、インターネットまたは携帯ネットワークのような広域ネットワーク）のための又はそれへの接続性を提供し得る。
【００２５】
ここで、図１を参照すると、現在の開示の様々な態様に従って、無線通信システム１００が示されている。システム１００は、多重アンテナ・グループを含めることのできる、基地局（つまり、アクセス・ポイント）１０２からなる。たとえば、１つのアンテナ・グループはアンテナ１０４と１０６を含むことができて、もう１つのグループはアンテナ１０８と１１０を構成することができて、別のグループはアンテナ１１２と１１４を含むことができる。２つのアンテナが各アンテナ・グループに関して説明されている。しかしながら、より多くのまたはより少ないアンテナが各グループに関して利用されることができる。基地局１０２は、さらに、送信チェーンと受信チェーンを含むことができて、当業者に十分理解されるように、それらの各々は、順々に、信号伝送と受信に関連する複数のコンポーネントを構成することができる（たとえば、プロセッサ、モジュレータ、マルチプレックサ、デモジュレータ、デマルチプレックサ、アンテナ、など）。さらに、基地局１０２は、ホーム基地局、フェムト基地局、および／または同等のものになることができる。
【００２６】
基地局１０２は、デバイス１１６のように、１つかそれより多いデバイスと接続することができる。しかしながら、基地局１０２が、かなり多数のデバイス１１６と同等のデバイスとも接続できるということは、十分理解されるべきである。描かれたとおり、デバイス１１６はアンテナ１０４と１０６と接続状態にあり、ここで、アンテナ１０４と１０６は、フォワード・リンク１１８をこえてデバイス１１６に情報を送信し、リバース・リンク１２０をこえてデバイス１１６から情報を受信する。周波数分割２重（ｆｒｅｑｕｅｎｃｙ  ｄｉｖｉｓｉｏｎ  ｄｕｐｌｅｘ：ＦＤＤ）システムでは、たとえば、フォワード・リンク１１８は、リバース・リンク１２０で用いられるものよりも異なる周波数バンドを利用できる。さらに、時間分割２重（ｔｉｍｅ  ｄｉｖｉｓｉｏｎ  ｄｕｐｌｅｘ：ＴＤＤ）システムでは、フォワード・リンク１１８とリバース・リンク１２０は共通の周波数バンドを利用できる。
【００２７】
加えて、デバイス１２２と１２４は、ピア・ツー・ピア構成でのように、お互いに通信できる。さらに、デバイス１２２は、リンク１２６と１２８を用いて、デバイス１２４と通信されている。ピア・ツー・ピア・アドホック・ネットワークでは、デバイス１２２と１２４のような、お互いに領域内のデバイスは、基地局１０２および／またはそれらの通信に頼る有線インフラストラクチャ無しで、お互いに直接通信する。さらに、ピア・デバイスまたはノードは、トラフィックを中継できる。ピア・ツー・ピア方式で通信しているネットワーク内のデバイスは、トラフィックがその最終目的地に到達するまでに、基地局に似て機能し、トラフィックまたは通信を他のデバイスに中継する。デバイスは制御チャンネルを送信することもできて、これは、ピア・ノード間のデータ送信を管理するために利用されることができる情報を運ぶ。
【００２８】
通信ネットワークは、無線（または有線）通信のいくつものデバイスまたはノードを含むことができる。各ノードは、１つかそれ以上の他のノードの範囲内にあることができて、マルチホップ・トポグラフィーでのように（たとえば、通信が最終目的地に到達するまでにノードからノードへホップできる）、他のノードとともにまたは他のノードの利用を通して、通信することができる。たとえば、送信ノードは、受信ノードと通信することを望み得る。送信ノードと受信ノードの間のパケット転送を可能にするために、１つかそれより多くの中間ノードが利用されることができる。どのノードも、送信ノードおよび／または受信ノードになれる、実質同じ時間（例えば、情報を受信するのと前記同じ時間に情報をブロードキャストまたは通信することができる）または異なる時間で、情報を送信するかおよび／または受信するかのどちらかの機能を実行できるということは、理解されておくべきである。
【００２９】
システム１００は、ネットワークをこえて通信セッションを開始したノードが直接接続へセッションを動かすことを可能にするように構成されることができる。直接接続されるノードは、どのカプセル化もなしに、自然にパケットを交換することができる。いくつかの態様にしたがって、「ホームレス」ノードは、その現行のセッションを失うことなく、無線ネットワークにスイッチできる。「ホームレス」によって、ノードが、異質のネットワークへスイッチする間に、続いているセッションを生きたままに保つためのアシスタンスを提供するために任意のホーム・エージェント・エンティティは持つことをせず、新しいセッションをノードの現在の位置へ確立するために任意の新しく入ってくる要求を転送することもしない、ということを意味している。いくつかの態様にしたがって、ノードは、可動の（たとえば、無線）、静的な（たとえば、有線）、またはその組み合わせ（たとえば、１つの静的なノード、第２の可動性のノード、両方の可動性のノード、など）にもなり得る。
【００３０】
図２は、システム２００が、様々な態様にしたがって、２つのノードが広域ネットワーク・インターフェースおよび／またはデバイス・ツー・デバイス・インターフェースをこえて通信することを可能にする、ことを説明している。システム２００に含まれているのは、第１のノード（Ｎｏｄｅ１）２０２と、第２のノード（Ｎｏｄｅ２）２０４である。各ノード２０２、２０４は、少なくとも２つのインターフェースを含んでいる。第１のインターフェースは、インターネット・プロトコル（Ｉｎｔｅｒｎｅｔ  Ｐｒｏｔｏｃｏｌ：ＩＰ）アドレスを提供するネットワーク２０６に接続されることができる。たとえば、ネットワークは、広域ネットワーク（Ｗｉｄｅ  Ａｒｅａ  Ｎｅｔｗｏｒｋ：ＷＡＮ）、ローカル・エリア・ネットワーク（Ｌｏｃａｌ  Ａｒｅａ  Ｎｅｔｗｏｒｋ：ＬＡＮ）、ホーム・ネットワーク、デジタル加入者線（Ｄｉｇｉｔａｌ  Ｓｕｂｓｃｒｉｂｅｒ  Ｌｉｎｅ：ＤＳＬ）、ケーブル、３ＧＰＰベースの、３ＧＰＰ２ベースの、あるいは、インターコネクティビティを提供し、関心のあるネットワークへルートする他の技術（たとえば、インターネット）になり得る。
【００３１】
ノード２０２と２０４のインターフェースは、有線（たとえば、デバイス・ツー・デバイスへ）、無線（たとえば、ＷＡＮ）、またはその組み合わせにもなり得る。たとえば、Ｎｏｄｅ１インターフェースが無線でＮｏｄｅ２インターフェースが有線にもなり得るし、または、Ｎｏｄｅ２インターフェースが無線でＮｏｄｅ１インターフェースが有線にもなり得るし、両方のインターフェースが無線にも、または、両方のインターフェースが有線にもなり得る。
【００３２】
説明のために、ノード２０２と２０４の各々の第１のインターフェースは、ＷＡＮインターフェース、２０８と２１０である。ＷＡＮインターフェース２０８、２１０は、リンク２１２と２１４に説明された、ネットワーク２０６をこえて接続を提供する。さらに、ノード２０２、２０４の各々は、ピアまたはマルチホップ・メッシュ・ネットワークに直接接続されたローカル・ネットワークに接続されている少なくとも第２のインターフェースを含んでいる。たとえば、ローカル・ネットワークは、無線ローカル・エリア・ネットワーク（ＷＬＡＮ）または、他のデバイス・トゥー・デバイス（たとえば、ピア・ツー・ピア）技術になり得る。説明のために、ノード２０２、２０４の各々の第２のインターフェースは、デバイス・トゥー・デバイス（Ｄ２Ｄ）インターフェース２１６、２１８のように説明されている。Ｄ２Ｄインターフェース２１６、２１８は、ノード２０２、２０４が、直接リンク２２０に説明された、直接通信の実行を可能にする。
【００３３】
ネットワーク２０６をこえてセッションの開始と、直接セッション（たとえば、直接リンク２２０をこえて）へ動かすことに関する様々な態様に従う手段は、ここで記述されるだろう。例として、Ｎｏｄｅ１２０２が、モバイル・インターネット・プロトコルを利用すると想定される。通信は、Ｎｏｄｅ１２０２によって、そのモバイルＩＰホーム・アドレスをソース・アドレスとして利用することで実行される。ホーム・アドレスは、ノードに割り当てられるユニキャストのルータブル・アドレスであり、ノードのパーマネント・アドレスとして使われる。Ｎｏｄｅ１２０２は、それぞれの第１のインターフェース（たとえば、ＷＡＮインターフェース２０８、２１０）をこえてパケットを送信し受信することで、ネットワーク２０６（たとえば、ＷＡＮ）をこえてＮｏｄｅ２２０４と通信する。パケットは、様々な態様に従うネットワーク２０６に含まれることができる、ホーム・エージェントへのＭＩＰｖ６トンネル、または、直接Ｎｏｄｅ２２０４へルート最適化トンネルにカプセル化され得る。
【００３４】
図３は、典型的な態様に従う、典型的な第１の通信デバイス３００を説明している。典型的な第１の通信デバイス３００は、たとえば、図１の無線通信デバイス（１０２、１１６、１２２、１２４）のうちの１つ、または、図２の無線通信デバイス（２０２、２０４）のうちの１つである。
【００３５】
第１の通信デバイス３００は、プロセッサ３０２と、データと情報を交換し得る様々な要素をこえて、バス３０９を経由して、いっしょに結合するメモリ３０４を含んでいる。通信デバイス３００は、示したようなプロセッサ３０２に結合し得る入力モジュール３０６と出力モジュール３０８を、さらに含んでいる。しかしながら、いくつかの態様では、入力モジュール３０６と出力モジュール３０８は、プロセッサ３０２の内部に位置している。入力モジュール３０６は入力信号を受信できる。入力モジュール３０６は、いくつかの態様でできることは、無線受信機および／または有線または入力の受信に関する光学的入力インターフェースを含むことができる。出力モジュール３０８は、いくつかの態様では、無線送信機および／または有線または出力の送信に関する光学的出力インターフェースを含むこともある。
【００３６】
プロセッサ３０２は、第２の通信デバイスから第１の信号を受信するように、もしも前記の第１の信号がアプリケーション警報基準を満たすなら、第１のアプリケーション警報を発生させるように、そして、第２の通信デバイスからの前の信号に基づいた、第２の通信デバイス情報を運ぶ前記の第２の信号がアクセス・ポイントから第２の信号を受信するように、構成される。アクセス・ポイントは、おそらく、そしてときどき、基地局であり得る。いくつかの態様では、第２の通信デバイス情報は、位置情報である。様々な態様では、プロセッサ３０２は、第１の信号を受信するように構成されるパートとして、無線ピア・ツー・ピア・インターフェースを経由して、前記の第１の信号を受信するように構成される。いくつかの態様では、プロセッサ３０２は、第２の信号を受信するように構成されるパートとして、無線広域ネットワーク・インターフェースを経由して、第２の信号を受信するように構成される。
【００３７】
プロセッサ３０２は、第２の通信デバイスに基づいて、第２の信号に含まれる情報と前記の第１の信号に含まれる情報とを受け取るように動作を決定するようにさらに構成される。ある典型的な態様では、第２の信号に含まれる前記の第２の通信デバイス情報は、前記の第２の通信デバイスの前の位置に関する情報であり、第１の信号に含まれる前記の情報は、現在の位置の情報であり、前記動作は、位置ベースのトラフィック更新動作と位置ベースの広告更新動作のうちの１つである。いくつかの態様では、プロセッサ３０２は、発生した第１のアプリケーション警報に応じて、第２の通信デバイスに対応する情報を要求するアクセス・ポイントへ情報要求信号を送るように、さらに構成される。
【００３８】
現在の開示のある態様は、図２に説明されているような無線ノード２０２と２０４の間の通信のような、ピア・ツー・ピア通信のＡＰベース・スケジューリングに関する、パワー・マネージメント・フレームワーク（例えば、パワー・セーブ・マルチ（Ｐｏｗｅｒ  Ｓａｖｅ  Ｍｕｌｔｉ  Ｐｏｌｌ：ＰＳＭＰ）フレーム）の利用をサポートする。ＰＳＭＰフレームは、アクセス・ポイントとユーザ・ステーションの間の通信に関してのみ、技術的に利用される。
【００３９】
ピア・ツー・ピア・トランザクションのスケジューリング
図４は、現在の開示のある態様に従う、ＰＳＭＰフレーム内の例の情報フィールド４００を示す。ＰＳＭＰフレームはグループ・アドレスに対してアドレスしてもよく、データを送信および／または受信し得る各ユーザ局（ＳＴＡ）に対して、さまざまな局情報（ＳＴＡ−ｉｎｆｏ）フィールドを運び得る。
【００４０】
ＳＴＡ−ｉｎｆｏフィールド４００の異なるフィールド場は、異なる機能を持ち得る。局識別（ＳＴＡ−ＩＤ）フィールド４０８は、ＳＴＡ−ｉｎｆｏフィールド４００に関連したＳＴＡを識別し得る。ＰＳＭＰダウンリンク送信時間（Ｄｏｗｎｌｉｎｋ  Ｔｒａｎｓｍｉｓｓｉｏｎ  Ｔｉｍｅ：ＤＴＴ）スタート・オフセット・フィールド４０４は、ＳＴＡにおいて、受信のための開始時間を識別し得るし、ＰＳＭＰ−ＤＴＴ時間フィールド４０６はＳＴＡの受信時間を識別し得る。一方で、ＰＳＭＰアップリンク・送信時間（Ｕｐｌｉｎｋ  Ｔｒａｎｓｍｉｓｓｉｏｎ  Ｔｉｍｅ：ＵＴＴ）スタート・オフセット・フィールド４１０は、ＳＴＡからの送信の時間を識別してもよく、ＰＳＭＰ−ＵＴＴ時間フィールド４１２は、ＳＴＡからの送信に関して許容された時間の期間を識別し得る。
【００４１】
各ＳＴＡは、ピア・ノードの識別を知ることと同様に、送信するときと受信するときに、完全に知る必要があり得る。現在の開示では、ピア・ツー・ピア送信を適応させるようにＰＳＭＰメッセージの能力を広げることが提案されている。現在の開示の１つの態様では、ＳＴＡ−ｉｎｆｏタイプ・フィールド４０２の値は、ＳＴＡ−ｉｎｆｏフィールド４００が直接リンク・セットアップ（Ｄｉｒｅｃｔ  Ｌｉｎｋ  Ｓｅｔｕｐ：ＤＬＳ）接続に基づいたＳＴＡ・ツー・ＳＴＡ送信に関して捧げられているということを示している定義された値（たとえば、３つの値）に向かう。指定されたビット４１４は、ＳＴＡ・ツー・ＳＴＡのＤＬＳ送信に関するチャンネルを定義するように利用され得る。送信チャンネルは、指定されたビット４１４の値を変化させることでスイッチされ得る。 
ＳＴＡはＡＰからＰＳＭＰメッセージを受信するときに、ＳＴＡは、それ自身に関するＳＴＡ−ｉｎｆｏフィールドを見つけるためにメッセージに目を通し得る。ＳＴＡ−ｉｎｆｏタイプ・フィールドから、ＳＴＡは、割り当ての型、つまり、ＡＰ−ＳＴＡ通信またはＤＬＳ通信を識別し得る。もしも、ＳＴＡ（たとえば、ＳＴＡ１）に関連したＳＴＡ−ｉｎｆｏフィールドが、ＤＬＳ通信に関して識別されるなら、それでは、ＳＴＡ１が、このＤＬＳ通信に関する１つかそれ以上の可能性のある行先に関するＰＳＭＰメッセージをくまなく探し得る。 
可能性のある行き先（たとえば、ＳＴＡ２とＳＴＡ３）がいったん識別されていると、もしも、ＰＳＭＰ−ＤＴＴ開始オフセットとＰＳＭＰ−ＤＴＴ期間が、ＳＴＡ１のＰＳＭＰ−ＵＴＴスタート・オフセットとＰＳＭＰ−ＵＴＴ期間とマッチするＳＴＡ２および／またはＳＴＡ３に関するＳＴＡ−ｉｎｆｏフィールドがあるのなら、ＳＴＡ１は決まり得る。もしもＳＴＡ１が、たとえばＳＴＡ２と関連しているＳＴＡ−ｉｎｆｏフィールドのマッチングを見つけるのなら、それから、ＳＴＡ１は、割り当てられたオフセットで、割り当てられた時間の期間に関して、ＳＴＡ２へデータを送信し始め得る。
【００４２】
ＰＳＭＰフレームは、たとえば、ＳＴＡ−ｉｎｆｏフィールド４００の指定されたフィールド４１４のように、６ビットのうち３ビット、を用いることで、チャンネル・スイッチを示すように利用することもでき得る。もしも、たとえば、ＡＰに対して、４つの隣接した２０ＭＨｚのチャンネルが利用できるのなら、異なる３ビットのパターンが、１つかそれ以上の２０ＭＨｚチャンネルの異なる組み合わせを示し得ることになる。もしも、チャンネル・スイッチ・オプションが利用できるなら、ＳＴＡ１は、オフセットと期間フィールドに加えて１つかそれ以上のピアと送信チャンネルをマッチさせる必要もあり得る、ということにも注意が必要だろう。
【００４３】
ＳＴＡが、ＰＳＭＰフレームで定義されるどの時間の間にもスリープ・モードで動作することができ得る、ということにも、注意が必要だろう。さらに、ＳＴＡは、ＰＳＭＰフレームで確立された送信と干渉しない任意の送信に関する無線チャンネルにアクセスすることが可能であり、ここで、その無線チャンネルはＰＳＭＰフレームに示されることはないだろう。たとえば、ＳＴＡは、ＰＳＭＰメッセージにカバーされることなく、無線チャンネルに含まれ得る。
【００４４】
図５は、現在の開示のある態様に従う、多重通信のスケジューリングに関するＡＰで実行される例の動作５００を説明している。５０２で、ＡＰは、装置間の多重通信に関するスケジュールを決定することもあり、ここで、スケジュールは、送信するための第１の装置（つまり、ピア・ノード）に関する時間と、受信するための第２の装置（つまり、もう1方のピア・ノード）に関する同じ時間とを示している。５０４で、ＡＰは、スケジュールを第１の装置と第２の装置に送信し得る。多重通信は、装置のペアの間（つまり、ピア・ノードの間）に確立された多重ＤＬＳ通信を含み得る。
【００４５】
図６は、現在の開示のある態様に従う第２の装置との通信を確立することに関する、第１の装置で実行される例の動作６００を説明している。６０２で、第１の装置は、通信に関する時間を示す制御メッセージを受信し得る。６０４で、通信に関する割り当てられた同じ時間を持つ第２の装置は識別されている。６０６で、第１の装置は時間中に、第２の装置と通信し得る。
【００４６】
ＡＰスケジュールド・ピア・ツー・ピア・トランザクションを開始すること
１つかそれ以上のピア・ツー・ピア・トランザクションをスケジュールするためのアクセス・ポイントに関する順序では、アクセス・ポイントは、ＳＴＡでのバックログされたピア・ツー・ピア・トラフィックに気づく必要があり得る。ＡＰをバックログ情報とともに提供することに関して、現在の開示ではさまざまな方法が提案されている。 
現在の開示の１つの態様では、ＡＰはバックログ情報を決定するためにＤＬＳデータ・トラフィックを聞くかもしれず、ここで、決定されたバックログ情報は将来のＤＬＳデータ・トラフィック転送をスケジュールするために用いられる可能性がある。もう１方の態様では、ＡＰが、決定論的なバックオフ手順を用いてＤＬＳ送信に関する要求の送信時間をスケジュールし得る。ＡＰは、ＤＬＳ能力のあるＳＴＡのサブセットに関するバックオフ・カウントとともにメッセージを発送する可能性があり、それから、ピア・ツー・ピア・バッファ・レベルに関連する応答に関して待ち得る。まだもう１方の態様では、ＡＰは、どれくらい多く特定のＤＬＳフローがスケジュールされる必要があり得るのかを決定するために、ＤＬＳフローのトラフィック仕様（Ｔｒａｆｆｉｃ  Ｓｐｅｃｉｆｉｃａｔｉｏｎ：ＴＳＰＥＣ）を利用し得る。
【００４７】
上で説明した方法のさまざまなオペレーションは、対応する機能を実行できる任意の適した手段によって実行され得る。手段は、さまざまなハードウェアおよび／またはソフトフェアのコンポーネントおよび／またはモジュールを含む可能性があり、回路に限るわけではないが、特定用途向け集積回路（ａｐｐｌｉｃａｔｉｏｎ  ｓｐｅｃｉｆｉｃ  ｉｎｔｅｇｒａｔｅ  ｃｉｒｃｕｉｔ：ＡＳＩＣ）、またはプロセッサを含んでいる。一般的に、図に説明されているオペレーションがあるところでは、それらのオペレーションは、似たナンバリングを持つ、対応する手段プラス機能のコンポーネントを持ち得る。たとえば、ブロック５０２−５０４は図５と図６に説明されており、図５Ａと図６Ａに説明されている回路ブロック５０２Ａ−５０４Ａと６０２Ａ−６０６Ａに対応する。
【００４８】
ここで用いられたように、「決定する（ｄｅｔｅｒｍｉｎｉｎｇ）」という言葉は、広範囲の行動を含んでいる。たとえば、「決定する（ｄｅｔｅｒｍｉｎｉｎｇ）」は、計算する、演算するする、処理する、導き出す、調査する、検討する（たとえば、テーブル、データベース、または他のデータ構造を検討する）、確認する、などを含み得る。また、「決定する（ｄｅｔｅｒｍｉｎｉｎｇ）」は、受信する（たとえば、情報を受信する）、アクセスする（たとえば、メモリのデータにアクセスする）、などを含み得る。また「決定する（ｄｅｔｅｒｍｉｎｉｎｇ）は、解決する、選択する（ｓｅｌｅｃｔ）、選ぶ（ｃｈｏｏｓｅ）、確立する、などを含み得る。
【００４９】
ここで用いられたように、項目のリスト「のうち少なくとも１つ」に言及するフレーズは、単一のものも含み、それらの項目のどの組み合わせにも言及する。１つの例として、「ａ、ｂ、またはｃのうち少なくとも１つ」ということは、ａ，ｂ，ｃ、ａ−ｂ，ａ−ｃ，ｂ−ｃ、そしてａ−ｂ−ｃ、をカバーするよう意図される。
【００５０】
上で説明した方法の様々なオペレーションは、様々なハードウェアおよび／またはソフトウェア・コンポーネント、回路および／またはモジュールのような、オペレーションを実行できる任意の適した手段によって実行され得る。一般的に、図に説明されたどのオペレーションも、オペレーションを実行できるような、対応する機能的手段によって実行され得る。
【００５１】
現在の開示と関連して説明された様々な実例となるロジカル・ブロック、モジュール、回路は、汎用目的プロセッサ、デジタル信号プロセッサ（ｄｉｇｉｔａｌ  ｓｉｇｎａｌ  ｐｒｏｃｅｅｏｒ：ＤＳＰ）、特定用途向け集積回路（ａｐｐｌｉｃａｔｉｏｎ  ｉｎｔｅｇｒａｔｅｄ  ｃｉｒｃｕｉｔ：ＡＳＩＣ）、フィールド・プログマブル・ゲート・アレイ信号（ｆｉｅｌｄ  ｐｒｏｇｒａｍｍｂｌｅ  ｇａｔｅ  ａｒｒａｙ  ｓｉｇｎａｌ：ＦＰＧＡ）または他のプログマブル・ロジック・デバイス（ｐｒｏｇｒａｍｍａｂｌｅ  ｌｏｇｉｃ  ｄｅｖｉｃｅ：ＰＬＤ）、ディスクリート・ゲートまたはトランジスタ・ロジック、ディスクリート・ハードウェア・コンポーネントまたはここで説明された機能を実行するように設計されたどの組み合わせでもインプリメントまたはパフォームされ得る。汎用目的プロセッサはマイクロプロセッサであり得るが、代案では、プロセッサは、商業的に利用できる、プロセッサ、コントローラ、マイクロコントローラ、またはステート・マシーンであり得る。プロセッサはたとえば、ＤＳＰとマイクロプロセッサの組み合わせ、複数のマイクロプロセッサ、ＤＳＰコアとコンジャンクションの１つかそれ以上のマイクロプロセッサ、または他のそのような構成のような、コンピューティング・デバイスのコンビネーションとしてインプリメントされ得ることもある。現在の開示と関連して説明された様々な実例となる回路は、ハードウェア・コンポーネント、ソフトウェア・コンポーネント、ファームウェア・コンポーネント、またはそれらの組み合わせを含むようにインプリメントされ得ることもある。
【００５２】
現在の開示と関連して説明された方法またはアルゴリズムのステップは、プロセッサにより実行される、ハードウェア、ソフトウェア・モジュールにおいて、または、２つの組み合わせにおいて、具体化され得る。ソフトウェア・モジュールは、技術的に知られたどの形式の記憶媒体にも存在し得る。用いられる可能性のある記憶媒体のいくつかの例は、ランダム・アクセス・メモリ（ｒａｎｄｏｍ  ａｃｃｅｓｓ  ｍｅｍｏｒｙ：ＲＡＭ）、読み出し専用メモリ（ｒｅａｄ  ｏｎｌｙ  ｍｅｍｏｒｙ：ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭなどを含んでいる。ソフトウェア・モジュールはシングルの命令、または多くの命令を含んでもよく、異なるプログラムの間で、そして多重記憶媒体にわたって、様々な異なるコード・セグメントに分布し得る。記憶媒体は、記憶媒体から情報を読み取ることができ、記憶媒体へ情報を書き込むことができるプロセッサのような、プロセッサへカップルされ得る。代案では、記憶媒体はプロセッサへ必須になり得る。
【００５３】
ここで開示された方法は、説明された方法をアチーブするための１つかそれ以上のステップまたはアクションを含む。方法のステップおよび／またはアクションは、請求項の範囲から離れることなく、お互いに交換され得る。言い換えると、ステップまたはアクションの特定の順序が特定されないで、特定のステップおよび／またはアクションの順序および／または使用は、請求項の範囲から離れることなく修正され得る。
【００５４】
説明された機能は、ハードウェア、ソフトウェア、ファームウェア、またはそれらの組み合わせにおいて、インプリメントされ得る。もしもソフトウェアでインプリメントされるなら、機能は、コンピュータ可読媒体に対する１つかそれ以上の命令として記憶され得る。記憶媒体は、コンピュータによってアクセスされることのできる任意の利用可能な媒体であり得る。一例として、そして限るわけではないが、そのようなコンピュータ可読媒体は、ＲＡＭ、ＲＯＭ、ＥＥＰＲＯＭ、ＣＤ−ＲＯＭまたは、他の光学ディスク記憶、磁気ディスク記憶または他の磁気記憶装置、または、命令またはデータ構造の形式の望ましいプログラム・コードを運ぶまたは記憶するのに使用されることができ、コンピュータにアクセスされることのできる任意の他の媒体を含むことができる。ここで用いられた、ディスク（ｄｉｓｋ）とディスク（ｄｉｓｃ）は、コンパクト・ディスク（ｃｏｍｐａｃｔ  ｄｉｓｃ：ＣＤ）、レーザ・ディスク、光学ディスク、デジタル多用途ディスク（ｄｉｇｉｔａｌ  ｖｅｒｓａｔｉｌｅ  ｄｉｓｃ：ＤＶＤ）、フロッピー（登録商標）・ディスク、そしてブルーレイ・ディスクを含んでおり、ここでディスク（ｄｉｓｋ）は通常磁気的にデータを再生し、一方でディスク（ｄｉｓｃ）はレーザにより光学的にデータを再生する。
【００５５】
このように、ある態様は、ここで表したオペレーションを実行することに関する、コンピュータ・プログラム製品を含み得る。たとえば、そのようなコンピュータ・プログラム製品は、その上に記憶された（および／または符号化された）命令を持つコンピュータ可読媒体を含むこともあり、命令は、ここで説明した操作を実行するように１つかそれ以上のプロセッサによって実行できる。ある態様に関しては、コンピュータ・プログラム製品は包装材料を含み得る。
【００５６】
ソフトウェアまたは命令は、伝送媒体を超えて送信されることもあり得る。たとえば、もしもソフトウェアが、ウェブサイト、サーバ、または他の、同軸ケーブル、光ファイバ・ケーブル、ツイステッド・ペア、デジタル加入者線（ｄｉｇｉｔａｌ  ｓｕｂｃｒｉｂｅｒ  ｌｉｎｅ：ＤＳＬ）、または、赤外線、ラジオ波、マイクロウェーブ波のような無線技術を用いるリモート・ソースから送信されるなら、そのとき、同軸ケーブル、光ファイバ・ケーブル、ツイステッド・ペア、ＤＳＬ、または、赤外線、ラジオ波、マイクロウェーブ波のような無線技術が伝送媒体の定義の中に含まれる。
【００５７】
さらに、ここで説明された方法と技術を実行することに関する、モジュールと他の適切な手段は、適切なように、ユーザ端末および／または基地局によってダウンロードおよび／または別に得ることができるというのは、十分理解されるべきである。たとえば、そのようなデバイスは、ここで説明された方法を実行することに関する手段の転送を容易にするようにサーバにカップルされることができる。代わりに、ここで説明された様々な方法は記憶手段（たとえば、ＲＡＭ、ＲＯＭ、コンパクト・ディスク（ＣＤ）またはフロッピー（登録商標）・ディスクのような物理的な記憶媒体）を経由して提供されることができて、そのようなユーザ端末および／または基地局はデバイスに対する記憶手段を接続する、または提供することに対する様々な方法を得ることができる。さらに、デバイスに対するここで説明された方法と技術を提供することに関する他の適した技術は、利用されることができる。
【００５８】
請求項は、上で説明された正確な構成とコンポーネントに制限されないということは理解されるべきである。様々な修正、変化、変動は、配置、動作、上で説明された方法と装置の詳細において、請求項の範囲から離れることなくなされ得る。
【００５９】
前述のものが現在の開示の態様に指向される一方で、開示の他とさらなる態様は、その基本的な視点から離れることなく工夫されることもあり、その視点は以下の請求項で決定される。
【図１】
2013509827.tif 000003
【図２】
2013509827.tif 000004
【図３】
2013509827.tif 000005
【図４】
2013509827.tif 000006
【図５】
2013509827.tif 000007
【図５Ａ】
2013509827.tif 000008
【図６】
2013509827.tif 000009
【図６Ａ】
2013509827.tif 000010
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
装置間の無線通信をスケジュールリングするための方法であって、
装置間の多重通信のためのスケジュールをデバイスにおいて決定することであって、前記スケジュールが送信する第１の装置のための時間と受信する第２の装置のための同じ前記時間を示す、決定することと、
制御メッセージの第１の局情報フィールドで前記第１の装置に、制御メッセージの第２の局情報フィールドで前記第２の装置に前記スケジュールを送信することと
を備え、
ここで、前記第１の局情報フィールドと前記第２の局情報フィールドは、前記第１の装置と前記第２の装置がダイレクト・リンク・セットアップ通信を用いて通信するべきであることを示すタイプ・フィールドを備える、方法。
【請求項２】
前記制御メッセージの前記第１の局情報フィールドと前記第２の局情報フィールドとのそれぞれは、前記通信に関して使用される無線チャンネルを示すビットのシーケンスを備える、請求項１の方法。
【請求項３】
前記装置のサブセットに対してバックオフ・カウントとともにメッセージを送信することと、
装置の前記サブセットから、前記メッセージに対する１つ又はそれ以上の応答を受信することであって、各応答は前記サブセットから前記装置のうちの１つに関連する通信バッファのレベルに関する情報を備える、受信することと、
前記１つ又はそれ以上の応答に基づいて前記通信に関して前記装置から要求をスケジューリングすることと
をさらに備える、請求項１の方法。
【請求項４】
前記通信のトラフィックの仕様に基づいて前記通信のそれぞれに関するスケジュールを決定することをさらに備える、請求項１の方法。
【請求項５】
バックログ情報を決定するために前記ダイレクト・リンク通信を聞くことと、
前記バックログ情報に基づいて前記装置間の他の通信をスケジューリングすることと
をさらに備える、請求項１の方法。
【請求項６】
前記多重通信は、前記装置間のペアの間で確立された多重ダイレクト・リンク・セットアップ通信を備える、請求項１の方法。
【請求項７】
装置間の無線通信をスケジュールするためのデバイスであって、
装置間の多重通信のためのスケジュールを決定するように構成される回路であって、前記スケジュールが送信する第１の装置のための時間と受信する第２の装置のための同じ前記時間とを示す、回路と、
制御メッセージの第１の局情報フィールドで前記第１の装置に、制御メッセージの第２の局情報フィールドで前記第２の装置に前記スケジュールを送信するように構成される送信機と
を備え、
ここで、前記第１の局情報フィールドと前記第２の局情報フィールドは、前記第１の装置と前記第２の装置がダイレクト・リンク・セットアップ通信を用いて通信するべきであることを示すタイプ・フィールドを備える、デバイス。
【請求項８】
前記制御メッセージの前記第１の局情報フィールドと前記第２の局情報フィールドとのそれぞれは、前記通信に関して用いられる無線チャンネルを示すビットのシーケンスを備える、請求項７の装置。
【請求項９】
前記送信機は、また、前記装置のサブセットに対してバックオフ・カウントとともにメッセージを送信するように構成され、前記装置は、
装置の前記サブセットから前記メッセージに対する１つ又はそれ以上の応答を受信するように構成される受信機であって、各応答は、前記サブセットからの前記装置のうちの１つに関連した通信バッファのレベルに関する情報を備える、受信機と、
前記１つ又はそれ以上の応答に基づく前記通信のための前記装置から要求をスケジューリングするように構成されるスケジューラと、
をさらに備える、請求項７のデバイス。
【請求項１０】
前記通信のトラフィックの仕様に基づく各々の前記通信に関するスケジュールを決定するために構成されるスケジューラをさらに備える、請求項７のデバイス。
【請求項１１】
バックログ情報を決定するために前記ダイレクト・リンク通信を聞くように構成される受信機と、
前記バックログ情報に基づいた前記装置間の他の通信をスケジューリングするように構成されるスケジューラと
をさらに備える、請求項７のデバイス。
【請求項１２】
前記多重通信は、前記装置のペアの間で確立された多重ダイレクト・リンク・セットアップ通信を備える、請求項７の装置。
【請求項１３】
装置間の無線通信をスケジューリングするためのデバイスであって、
装置間の多重通信のためのスケジュールを決定するための手段であって、前記スケジュールが送信する第１の装置のための時間と受信する第２の装置のための同じ前記時間とを示す、決定するための手段と、
制御メッセージの第１の局情報フィールドで前記第１の装置に、制御メッセージの第２の局情報フィールドで前記第２の装置に前記スケジュールを送信するための手段と
を備え、
ここで、前記第１の局情報フィールドと前記第２の局情報フィールドは、前記第１の装置と前記第２の装置がダイレクト・リンク・セットアップ通信を用いて通信するべきであることを示すタイプ・フィールドを備える、デバイス。
【請求項１４】
前記制御メッセージの前記第１の局情報フィールドと前記第２の局情報フィールドとのそれぞれは、前記通信に関して用いられる無線チャンネルを示すビットのシーケンスを備える、請求項１３のデバイス。
【請求項１５】
送信するための前記手段は、さらに、バックオフ・カウントとともにメッセージを前記装置のサブセットへ送信するように構成され、前記装置は、
装置の前記サブセットから前記メッセージへの１つ又はそれ以上の応答を受信するための手段であって、それぞれの応答が前記サブセットから前記装置のうちの１つに関連した通信バッファのレベルに関する情報を備える、受信するための手段と、
前記装置から、前記１つ又はそれ以上の応答に基づいた前記通信に関して要求をスケジュールするための手段と
をさらに備える、請求項１３のデバイス。
【請求項１６】
前記通信のトラフィックの仕様に基づいた前記通信の各々に関するスケジュールを決定するための手段をさらに備える、請求項１３のデバイス。
【請求項１７】
バックログ情報を決定するための前記ダイレクト・リンク通信を聞くための手段と、
前記バックログ情報に基づいた前記装置間の他の通信をスケジュールするための手段と
をさらに備える、請求項１３の装置。
【請求項１８】
前記多重通信は、前記装置のペアの間で確立された多重ダイレクト・リンク・セットアップ通信を備える、請求項１３のデバイス。
【請求項１９】
無線通信のためのコンピュータ・プログラム製品であって、
装置間の多重通信のためのスケジュールを決定することであって、前記スケジュールが送信する第１の装置のための時間と受信する第２の装置のための同じ前記時間とを示す、決定することと、
制御メッセージの第１の局情報フィールドで前記第１の装置に対して、制御メッセージの第２の局情報フィールドで前記第２の装置に対して前記スケジュールを送信することと
をデバイスにおいて実行できる命令を備えるコンピュータ可読媒体を備え、
ここで、前記第１の局情報フィールドと前記第２の局情報フィールドは、前記第１の装置と前記第２の装置がダイレクト・リンク・セットアップ通信を用いて通信するべきであることを示すタイプ・フィールドを備える、コンピュータ・プログラム製品。
【請求項２０】
少なくとも１つのアンテナと、
無線ノード間の多重通信のためのスケジュールを決定するように構成される回路であって、前記スケジュールが送信する第１無線ノードのための時間と受信する第２無線ノードのための同じ前記時間とを示す、回路と、
前記の少なくとも１つのアンテナを経由して前記スケジュールを制御メッセージの第１の局情報フィールドで前記第１の装置に対して、制御メッセージの第２の局情報フィールドで前記第２の装置に対して送信するように構成された送信機と
を備え、
ここで、前記第１の局情報フィールドと前記第２の局情報フィールドは、前記第１の装置と前記第２の装置がダイレクト・リンク・セットアップ通信を用いて通信するべきであることを示すタイプ・フィールドを備える、アクセス・ポイント。
【請求項２１】
無線通信のための方法であって、
第１の装置において、制御メッセージを受信することと、
前記第１の装置がダイレクト・リンク・セットアップ通信を用いて第２の装置と通信するべきであるという前記制御メッセージの第１の局情報フィールドのタイプ・フィールドから識別することと、
前記制御メッセージの前記第１の局情報フィールドから前記ダイレクト・リンク・セットアップ通信に関する時間を識別することと、
前記制御メッセージの第２の局情報フィールドから通信のための同じ前記時間を割り当てられた前記第２の装置を識別することと、
前記時間中に前記第２の装置と通信することと
を備える方法。
【請求項２２】
前記制御メッセージの前記第１の局情報フィールドと前記第２の局情報フィールドとのそれぞれは、前記通信に関して用いられる無線チャンネルを示すビットのシーケンスを備える、請求項２１の方法。
【請求項２３】
前記制御メッセージは、前記ＩＥＥＥ  ８０２．１１ｎのパワー・セーブ・マルチ・ポールメッセージを備える、請求項２１の方法。
【請求項２４】
前記第２の装置を識別することは、
前記第１の装置からデータ送信の時間を示す前記フィールドにおける前記第１の局情報フィールドの第１の値と前記第２の装置でデータ受信に関する開始時間を示す前記第２の局情報フィールドの前記フィールドとをマッチさせることと、
前記第１の装置からデータ送信に関する時間の期間を示す前記第１の局情報フィールドの前記フィールドにおける第２の値と前記第２の装置でデータ受信に関する時間の期間を示す前記第２の局情報フィールドの前記フィールドにおける第２の値とをマッチさせるように前記制御メッセージをスキャンすることと
を備える、請求項２１の方法。
【請求項２５】
前記第１の装置によって用いられる無線チャンネルを示す前記第１の局情報フィールドの前記フィールドにおけるビットのシーケンスと、前記第２の装置によって用いられる無線チャンネルを示す前記第２の局情報フィールドの前記フィールドにおけるビットの別のシーケンスとをマッチさせるように前記制御メッセージをスキャンすること
をさらに備える、請求項２４の方法。
【請求項２６】
前記制御メッセージに定義された任意の時間中にスリープ・モードにおいて動作することをさらに備える、請求項２１の方法。
【請求項２７】
前記制御メッセージに基づいて確立されたダイレクト・リンク・セットアップ接続を用いて通信することに干渉しない送信に関して、前記制御メッセージに示されていない無線チャンネルにアクセスすることをさらに備える、請求項２１の方法。
【請求項２８】
前記アクセスすることは、前記無線チャンネルにおいて競合することを備える、請求項２７の方法。
【請求項２９】
無線通信のための装置であって、
制御メッセージを受信するように構成される受信機と、
前記装置がダイレクト・リンク・セットアップ通信を用いて別の装置と通信するべきであるという前記制御メッセージの第１の局情報フィールドのタイプ・フィールドから識別し、
前記制御メッセージの前記第１の局情報フィールドから前記ダイレクト・リンク・セットアップ通信に関する時間を識別し、
前記制御メッセージの第２の局情報フィールドから通信に関する前記同じ時間を割り当てられた前記別の装置を識別するように構成される回路と、
前記時間中に前記別の装置と通信するように構成されるトランシーバと
を備える、無線通信のための装置。
【請求項３０】
前記制御メッセージの前記第１の局情報フィールドと前記第２の局情報フィールドとのそれぞれは、前記通信に関して用いられる無線チャンネルを示すビットのシーケンスを備える、請求項２９の装置。
【請求項３１】
前記制御メッセージは前記ＩＥＥＥ  ８０２．１１ｎのパワー・セーブ・マルチ・ポールメッセージを備える、請求項２９の装置。
【請求項３２】
前記別の装置を識別するように構成される前記回路は、
前記装置からデータ送信の時間を示す前記第１の局情報フィールドの前記フィールドにおける第１の値と別の装置でのデータ受信に関する開始時間を示す前記第２の局情報フィールドの前記フィールドにおける第１の値とをマッチさせるように、そして前記装置からデータ送信に関する時間の期間を示す前記第１の局情報フィールドの前記フィールドにおける第２の値と前記第２の装置でのデータ受信に関する時間の期間を示す前記第２の局情報フィールドの前記フィールドにおける第２の値とをマッチさせるように、前記制御メッセージをスキャンするようにも構成される走査回路、
を備える、請求項２９の装置。
【請求項３３】
前記走査回路は、さらに、
前記装置によって用いられる無線チャンネルを示す前記第１の局情報フィールドの前記フィールドにおけるビットのシーケンスと前記別の装置によって用いられる無線チャンネルを示す前記第２の局情報フィールドの前記フィールドにおけるビットの別のシーケンスとをマッチさせるように前記制御メッセージをスキャンするように構成される、請求項３２の装置。
【請求項３４】
前記パワー・セーブ・マルチ・ポール制御メッセージにおいて定義された任意の時間中にスリープ・モードで動作するように構成される低電力回路をさらに備える、請求項２９の装置。
【請求項３５】
前記送信機は、また、前記パワー・セーブ・マルチ・ポール制御メッセージに基づいて確立されたダイレクト・リンク・セットアップ接続を用いて通信することに干渉しない送信に関する無線チャンネルにアクセスするように構成され、前記無線チャンネルは、前記パワー・セーブ・マルチ・ポール制御メッセージにおいて示されない、請求項２９の装置。
【請求項３６】
前記送信機は、また、前記無線チャンネルにおいて競合するように構成される、請求項３５の装置。
【請求項３７】
無線通信のための装置であって、
制御メッセージを受信するための手段と、
前記装置がダイレクト・リンク・セットアップ通信を用いて別の装置と通信するべきであるという前記制御メッセージの第１の局情報フィールドのタイプ・フィールドから識別し、
前記制御メッセージの第１の局情報フィールドから前記のダイレクト・リンク・セットアップ通信に関する時間を識別し、
前記制御メッセージの第２局情報フィールドから通信に関する同じ前記時間を割り当てられた前記別の装置を識別するための手段と、
前記時間中に前記別の装置と通信するための手段と、
を備える、装置。
【請求項３８】
前記制御メッセージの前記第１の局情報フィールドと前記第２の局情報フィールドとのそれぞれは、前記通信に関して用いられる無線チャンネルを示すビットのシーケンスを備える、請求項３７の装置。
【請求項３９】
前記パワー・セーブ・マルチ・ポール制御メッセージは、前記ＩＥＥＥの８０２．１１ｎ  パワー・セーブ・マルチ・ポールメッセージを備える、請求項３７の装置。
【請求項４０】
前記別の装置を識別するための前記手段は、
前記装置からデータ送信の時間を示す前記第１の局情報フィールドの前記フィールドにおける第１の値と前記別の装置でデータ受信に関する開始時間を示す前記第２の局情報フィールドの前記フィールドにおける第１の値とをマッチさせ、前記装置からデータ送信に関する時間の期間を示す前記フィールドにおける第２の値と前記別の装置でデータ受信に関する時間の期間を示す、前記第２の局情報フィールドの前記フィールドにおける第２の値とをマッチさせるように、前記制御メッセージをスキャンするための手段と
を備える、請求項３７の装置。
【請求項４１】
前記装置によって用いられた無線チャンネルを示す前記第１の局情報フィールドの前記フィールドにおけるビットのシーケンスと、前記別の装置によって用いられた無線チャンネルを示す前記第２の局情報フィールドの前記フィールドにおけるビットの別のシーケンスとをマッチさせるように前記制御メッセージをスキャンするための手段をさらに備える、請求項４０の装置。
【請求項４２】
前記制御メッセージで定義された任意の時間中にスリープ・モードで動作するための手段、をさらに備える、請求項３７の装置。
【請求項４３】
前記制御メッセージに基づいて確立されたダイレクト・リンク・セットアップ接続を用いて通信することに干渉しない送信のための無線チャンネルにアクセスするための手段をさらに備え、前記無線チャンネルは、前記制御メッセージに示されていない、請求項３７の装置。
【請求項４４】
アクセスするための前記手段は前記無線チャンネルにおいて競合するための手段を備える、請求項４３の装置。
【請求項４５】
無線通信のためのコンピュータ・プログラム製品であって、
第１の装置で、制御メッセージを受信し、
前記装置がダイレクト・リンク・セットアップ通信を用いて第２の装置と通信するべきであるという前記制御メッセージの第１の局情報フィールドのタイプ・フィールドから識別し、
前記制御メッセージの前記第１の局情報フィールドから前記ダイレクト・リンク・セットアップ通信に関する時間を識別し、
前記制御メッセージの第２の局情報フィールドから通信に関する前記同じ前記時間を割り当てられた前記第２の装置を識別し、
前記時間中に前記第２の装置と通信する
ように実行できる命令を備えるコンピュータ可読媒体を備える、コンピュータ・プログラム製品。
【請求項４６】
少なくとも１つのアンテナと、
制御メッセージを、前記少なくとも１つのアンテナを経由して受信するように構成された受信機と、
前記無線ノードはダイレクト・リンク・セットアップ通信を用いて別の無線ノードと通信するべきであるという前記制御メッセージの第１の局情報フィールドのタイプ・フィールドから識別し、
前記制御メッセージの前記第１の局情報フィールドから前記ダイレクト・リンク・セットアップ通信に関する時間を識別し、
前記制御メッセージの第２の局情報フィールドから通信に関する前記同じ時間を割り当てられた前記別の無線ノードを識別するように構成された回路と、
前記時間中に前記別の無線ノードと、前記少なくとも１つのアンテナを経由して通信するように構成された送信機と
を備える、無線ノード。
【手続補正２】
【補正対象書類名】明細書
【補正対象項目名】００５９
【補正方法】変更
【補正の内容】
【００５９】
前述のものが現在の開示の態様に指向される一方で、開示の他とさらなる態様は、その基本的な視点から離れることなく工夫されることもあり、その視点は以下の請求項で決定される。
以下に本件出願当初の特許請求の範囲に記載された発明を付記する。
［１］無線通信のための方法であって、装置間の多重通信のためのスケジュールを決定することであって、前記スケジュールが送信する第１の装置のための時間と受信する第２の装置のための同じ前記時間を示す、決定することと、前記第１の装置と前記第２の装置に対する前記スケジュールを送信することとを備える、方法。
［２］前記スケジュールが、制御メッセージにおいて前記第１の装置と前記第２の装置に送信される、［１］の方法。
［３］前記制御メッセージは、前記第１の装置と前記第２の装置がダイレクト・リンク・セットアップ（ＤＬＳ）接続を用いて通信するべきであることを示す前記第１の装置と前記第２の装置のためのタイプ・フィールドを備える、［２］の方法。
［４］前記制御メッセージは前記通信のうちの１つに関して使用される無線チャンネルを示すビットのシーケンスを備える、［２］の方法。
［５］前記装置のサブセットに対してバックオフ・カウントとともにメッセージを送信することと、装置の前記サブセットから、前記メッセージに対する１つ又はそれ以上の応答を受信することであって、各応答は前記サブセットから前記装置のうちの１つに関連する通信バッファのレベルに関する情報を備える、受信することと、前記１つ又はそれ以上の応答に基づいて前記通信のための前記装置から要求をスケジューリングすることとをさらに備える、［１］の方法。
［６］通信のトラフィックの仕様（ＴＳＰＥＣ）に基づいて各通信に関するスケジュールを決定することをさらに備える、［１］の方法。
［７］バックログ情報を決定するために前記通信を聞くことと、前記バックログ情報に基づいて前記装置間の別の通信をスケジューリングすることとをさらに備える、［１］の方法。
［８］前記多重通信は、前記装置間のペアの間で確立された多重データ・リンク・セットアップ（ＤＬＳ）通信を備える、［１］の方法。
［９］無線通信のための装置であって、装置間の多重通信のためのスケジュールを決定するように構成される回路であって、前記スケジュールが送信する第１の装置のための時間と受信する第２の装置のための同じ前記時間を示す、回路と、前記スケジュールを前記第１の装置と前記第２の装置に前記スケジュールを送信するように構成される送信機とを備える、装置。
［１０］前記スケジュールが、制御メッセージにおいて前記第１の装置と前記第２の装置に対して送信される、［９］の装置。
［１１］前記制御メッセージは、前記第１の装置と前記第２の装置はダイレクト・リンク・セットアップ（ＤＬＳ）接続を用いて通信するべきであること示す、前記第１の装置と前記第２の装置のためのタイプ・フィールドを備える、［１０］の装置。
［１２］前記制御メッセージは、前記通信のうちの１つに関して用いられる無線チャンネルを示すビットのシーケンスを備える、［１０］の装置。
［１３］前記送信機は、また、前記装置のサブセットにバックオフ・カウントとともにメッセージを送信するように構成され、前記装置は、装置の前記サブセットから前記メッセージに対する１つ又はそれ以上の応答を受信するように構成される受信機であって、各応答は、前記サブセットからの前記装置のうちの１つに関連した通信バッファのレベルに関する情報を備える、受信機と、前記１つ又はそれ以上の応答に基づく前記通信のための前記装置から要求をスケジューリングするように構成されるスケジューラとをさらに備える、［９］の装置。
［１４］前記通信のトラフィックの仕様（ＴＳＰＥＣ）に基づく各々の前記通信に関するスケジュールを決定するために構成されるスケジューラをさらに備える、［９］の装置。
［１５］バックログ情報を決定するために前記通信を聞くように構成される受信機と、前記バックログ情報に基づいた前記装置間の他の通信をスケジュールするように構成されるスケジューラとをさらに備える、［９］の装置。
［１６］前記多重通信は、前記装置のペアの間で確立された多重データ・リンク・セットアップ（ＤＬＳ）通信を備える、［９］の装置。
［１７］無線通信のための装置であって、装置間の多重通信のためのスケジュールを決定するための手段であって、前記スケジュールが送信する第１の装置のための時間と受信する第２の装置のための同じ時間を示す、決定するための手段と、前記スケジュールを第１の装置と第２の装置に前記スケジュールを送信するための手段とを備える、装置。
［１８］前記スケジュールは、制御メッセージにおいて、前記第１の装置と前記第２の装置に対して送信される、［１７］の装置。
［１９］前記制御メッセージは、前記第１の装置と前記第２の装置がダイレクト・リンク・セットアップ（ＤＬＳ）接続を用いて通信するべきだということを示す、前記第１の装置と前記第２の装置のためのタイプ・フィールドを備える、［１８］の装置。
［２０］前記制御メッセージは、前記通信のうちの１つに関して用いられる無線チャンネルを示すビットのシーケンスを備える、［１８］の装置。
［２１］送信するための前記手段は、さらに、バックオフ・カウントとともにメッセージを前記装置のサブセットへ送信するように構成され、前記装置は、装置の前記サブセットから前記メッセージへの１つ又はそれ以上の応答を受信するための手段であって、それぞれの応答が前記サブセットから前記装置のうちの１つに関連した通信バッファのレベルに関する情報を備える、受信するための手段と、前記装置から、１つ又はそれ以上の応答に基づいた前記通信に関して要求をスケジュールするための手段とをさらに備える、［１７］の装置。
［２２］前記通信のトラフィックの仕様（ＴＳＰＥＣ）に基づいた前記通信の各々に関するスケジュールを決定するための手段をさらに備える、［１７］の装置。
［２３］バックログ情報を決定するための前記通信を聞くための手段と、前記バックログ情報に基づいた前記装置間の他の通信をスケジュールするための手段とをさらに備える、［１７］の装置。
［２４］前記多重通信は、前記装置のペアの間で確立された多重データ・リンク・セットアップ（ＤＬＳ）通信を備える、［１７］の装置。
［２５］無線通信のためのコンピュータ・プログラム製品であって、装置間の多重通信のためのスケジュールを決定することであって、前記スケジュールが送信する第１の装置のための時間と受信する第２の装置のための同じ時間とを示す、決定することと、前記第１の装置と前記第２の装置に対して前記スケジュールを送信することとを実行できる命令を備えるコンピュータ可読媒体を備える、コンピュータ・プログラム製品。
［２６］少なくとも１つのアンテナと、無線ノード間の多重通信のためのスケジュールを決定するように構成される回路であって、前記スケジュールが送信する第１無線ノードのための時間と受信する第２無線ノードのための同じ時間とを示す、回路と、前記の少なくとも１つのアンテナを経由して前記スケジュールを前記第１無線ノードと前記第２無線ノードに対して送信するように構成された送信機とを備える、アクセス・ポイント。
［２７］無線通信のための方法であって、第１の装置において、通信のための時間を示す制御メッセージを受信することと、通信に関して前記同じ時間を割り当てられた第２の装置を識別することと、前記時間中に前記第２の装置と通信することとを備える、方法。
［２８］前記制御メッセージは、前記第１の装置と前記第２の装置がダイレクト・リンク・セットアップ（ＤＬＳ）接続を用いて通信するべきであることを示す、前記第１の装置と前記第２の装置のためのタイプ・フィールドを備える、［２７］の方法。
［２９］前記制御メッセージは、前記通信に関して用いられる無線チャンネルを示すビットのシーケンスを備える、［２７］の方法。
［３０］前記制御メッセージはパワー・マネージメント・メッセージを備える、［２７］の方法。
［３１］前記パワー・マネージメント・メッセージは、前記ＩＥＥＥ  ８０２．１１ｎのパワー・セーブ・マルチ・ポール（ＰＳＭＰ）メッセージを備える、［３０］の方法。
［３２］前記第２の装置を識別することは、前記第１の装置に関連するフィールドを見つけるために前記パワー・マネージメント・メッセージをスキャンすることと、前記第１の装置からデータ送信の時間を示す前記フィールドにおける第１の値と前記第２の装置でデータ受信に関する開始時間を示す別のフィールドとをマッチさせることと、前記第１の装置からデータ送信に関する時間の期間を示す前記フィールドにおける第２の値と前記第２の装置でデータ受信に関する時間の期間を示す前記第２の装置と関連したもう一方のフィールドにおける第２の値とをマッチさせるように前記パワー・マネージメント・メッセージをスキャンすることとを備える、［３０］の方法。
［３３］前記第１の装置によって用いられる無線チャンネルを示す前記フィールドにおけるビットのシーケンスと、前記第２の装置によって用いられる無線チャンネルを示すもう一方のフィールドにおけるビットの別のシーケンスとをマッチさせるように前記パワー・マネージメント・メッセージをスキャンすることをさらに備える、［３２］の方法。
［３４］前記制御メッセージに定義された任意の時間中にスリープ・モードにおいて動作することをさらに備える、［２７］の方法。
［３５］前記制御メッセージに基づいて確立されたダイレクト・リンク・セットアップ（ＤＬＳ）接続を用いて通信することに干渉しない送信に関して、前記制御メッセージに示されていない無線チャンネルにアクセスすることをさらに備える、［２７］の方法。
［３６］前記アクセスすることは、前記無線チャンネルにおいて競合することを備える、［３５］の方法。
［３７］無線通信のための装置であって、通信のための時間を示す制御メッセージを受信するように構成される受信機と、通信に関する前記同じ時間を割り当てられた別の装置を識別するように構成される回路と、前記時間中にもう一方の装置と通信するように構成されるトランシーバとを備える、装置。
［３８］前記制御メッセージは、前記装置と前記別の装置がダイレクト・リンク・セットアップ（ＤＬＳ）接続を用いて通信すべきであることを示す前記装置と前記別の装置のためのタイプ・フィールドを備える、［３７］の装置。
［３９］前記制御メッセージは、前記通信に関して用いられる無線チャンネルを示すビットのシーケンスを備える、［３７］の装置。
［４０］前記制御メッセージは、パワー・マネージメント・メッセージを備える、［３７］の装置。
［４１］前記パワー・マネージメント・メッセージは前記ＩＥＥＥ  ８０２．１１ｎのパワー・セーブ・マルチ・ポール（ＰＳＭＰ）メッセージを備える、［４０］の装置。
［４２］もう一方の装置を識別するように構成される前記回路は、前記装置と関連したフィールドを見つけるように前記パワー・マネージメント・メッセージをスキャンするように構成される走査回路を備え、前記走査回路は、前記装置からデータ送信の時間を示す前記フィールドにおける第１の値ともう一方の装置でのデータ受信に関する開始時間を示す別のフィールドにおける第１の値とをマッチさせるように、そして前記装置からデータ送信に関する時間の期間を示す前記フィールドにおける第２の値ともう一方の装置でのデータ受信に関する時間の期間を示すもう一方の装置に関連したもう一方のフィールドにおける第２の値とをマッチさせるように、前記パワー・マネージメント・メッセージをスキャンするようにも構成される、［４０］の装置。
［４３］前記走査回路は、さらに、前記装置によって用いられる無線チャンネルを示す前記フィールドにおけるビットのシーケンスともう一方の装置によって用いられる無線チャンネルを示すもう一方のフィールドにおけるビットの別のシーケンスとをマッチさせるように前記パワー・マネージメント・メッセージをスキャンするように構成される、［４２］の装置。
［４４］前記制御メッセージにおいて定義された任意の時間中にスリープ・モードで動作するように構成された低電力回路をさらに備える、［３７］の装置。
［４５］前記送信機は、また、前記制御メッセージに基づいて確立されたダイレクト・リンク・セットアップ（ＤＬＳ）接続を用いて通信することに干渉しない送信に関する無線チャンネルにアクセスするように構成され、前記無線チャンネルは前記パワー・セーブ、マルチ・ポール制御メッセージにおいて示されない、［３７］の装置。
［４６］前記送信機は、また、前記無線チャンネルにおいて競合するように構成される、［４５］の装置。
［４７］通信に関する時間を示す制御メッセージを受信するための手段と、通信に関する前記同じ時間を割り当てられた別の装置を識別するための手段と、前記時間中にもう一方の装置と通信するための手段とを備える、無線通信のための装置。
［４８］前記制御メッセージは、前記装置と前記別の装置がダイレクト・リンク・セットアップ（ＤＬＳ）接続を用いて通信するべきであることを示す、前記装置と前記別の装置のためのタイプ・フィールドを備える、［４７］の装置。
［４９］前記制御メッセージは、前記通信に関して用いられる無線チャンネルを示すビットのシーケンスを備える、［４７］の装置。
［５０］前記制御メッセージはパワー・マネージメント・メッセージを備える、［４７］の装置。
［５１］前記パワー・マネージメント・メッセージは、前記ＩＥＥＥ  ８０２．１１ｎのパワー・セーブ・マルチ・ポール（ＰＳＭＰ）メッセージを備える、［５０］の装置。
［５２］前記別の装置を識別するための前記の手段は、前記装置と関連したフィールドを見つけるように前記パワー・マネージメント・メッセージをスキャンするための手段と、
前記装置からデータ送信の時間を示す前記フィールドにおける第１の値と前記別の装置でデータ受信に関する開始時間を示す別のフィールドにおける第１の値とをマッチさせ、前記装置からデータ送信に関する時間の期間を示す前記フィールドにおける第２の値ともう一方の装置でデータ受信に関する時間の期間を示す、前記別の装置と関連した前記別のフィールドにおける第２の値とをマッチさせるように、前記パワー・マネージメント・メッセージをスキャンするための手段とを備える、［５０］の装置。
［５３］前記装置によって用いられた無線チャンネルを示す前記フィールドにおけるビットのシーケンスと、もう一方の装置によって用いられた無線チャンネルを示すもう一方のフィールドにおけるビットの別のシーケンスとをマッチさせるように前記パワー・マネージメント・メッセージをスキャンするための手段をさらに備える、［５２］の装置。
［５４］前記制御メッセージで定義された任意の時間中にスリープ・モードで動作するための手段をさらに備える、［４７］の装置。
［５５］前記制御メッセージに基づいて確立されたダイレクト・リンク・セットアップ（ＤＬＳ）接続を用いて通信することに干渉しない送信に関する、前記制御メッセージに示されていない無線チャンネルにアクセスするための手段をさらに備える、［４７］の装置。
［５６］アクセスするための前記手段は前記無線チャンネルにおいて競合するための手段を備える、［５５］の装置。
［５７］無線通信のためのコンピュータ・プログラム製品であって、第１の装置で、通信に関する時間を示す制御メッセージを受信し、通信に関する前記同じ時間を割り当てられた第２の装置を識別し、前記時間中に前記第２の装置と通信する、ように実行できる命令を備えるコンピュータ可読媒体を備える、コンピュータ・プログラム製品。
［５８］少なくとも１つのアンテナと、通信に関する時間を示す制御メッセージを、前記少なくとも１つのアンテナを経由して受信するように構成された受信機と、通信に関する前記同じ時間を割り当てられた別の無線ノードを識別するように構成された回路と、前記時間中にもう一方の無線ノードと、前記少なくとも１つのアンテナを経由して通信するように構成された送信機とを備える、無線ノード。
【国際調査報告】
2013509827.tif 000011
2013509827.tif 000012
2013509827.tif 000013
2013509827.tif 000014